(57)【要約】      （修正有）【課題】消費電力を不要にすることができ、しかも、簡易で安価な構成にすることができるアンテナ装置を提供する。【解決手段】パラボラアンテナは、電波を反射するパラボラ状の反射鏡１が設けられ、この反射鏡１の開口側がカバー５により覆われている。カバー５は、接触角が１１０度以上の撥水性を有すると共に電波透過製を有する柔軟な薄地の高密度織物からなり、反射鏡１の開口側を覆う前面カバー部５ａと、パラボラアンテナの裏面側で弾性紐によって外周縁を結束する取付部５ｂとを備えている。反射鏡１の上方側に位置するカバー５との間には、変形自在な弾性体７を配設し、カバー５の前面カバー部５ａによって形成される仰角を反射鏡１の仰角よりも小さくしている。【選択図】図１
0003152883.tif 000002
【実用新案登録請求の範囲】
【請求項１】
電波を反射するパラボラ状の反射鏡が設けられ、この反射鏡の開口側がカバーにより覆われたパラボラアンテナ用着雪防止装置において、
上記カバーは、接触角が１１０度以上の撥水性を有すると共に電波透過製を有する柔軟な薄地の高密度織物からなり、上記反射鏡の開口側を覆う前面カバー部と、上記パラボラアンテナの裏面側で弾性紐によって外周縁を結束する取付部とを備え、
上記反射鏡の上方側に位置する上記カバーとの間には、変形自在な弾性体を配設し、
上記カバーの前面カバー部によって形成される仰角を上記反射鏡の仰角よりも小さくしたことを特徴とするパラボラアンテナ用着雪、着水防止装置。
【請求項２】
弾性体が、ポリスチレン、ポリエチレン、ポリプロピレン、ポリウレタンを主成分とする発泡プラスチックやゴムスポンジによって形成される請求項１に記載のパラボラアンテナ用着雪、着水防止装置。
【請求項３】
弾性体が筒状に形成されるとともに、長手方向に切れ目が形成され、この切れ目を上記パラボラアンテナの上部の縁部に差し込むことにより取り付け、上記弾性体が上記カバーにより覆われた請求項１及び２に記載のパラボラアンテナ用着雪、着水防止装置。
【請求項４】
弾性体が、上記反射鏡の上側に配設され、上記弾性体の仰角方向の厚さが、配設位置における開口側から反射鏡までの寸法よりも厚く設定される請求項１及び２に記載のパラボラアンテナ用着雪、着水防止装置。
【考案の詳細な説明】
【技術分野】
【０００１】  本考案は、屋外に設置するパラボラアンテナに関し、特に、電波を反射する反射板への着雪や着水を防止するためのパラボラアンテナ用着雪、着水防止装置に関する。
【背景技術】
【０００２】  衛星通信或いは放送衛星を受信するために、パラボラアンテナ装置が用られる。ところで、このようなアンテナ装置は、その構造上、仰角が約３０°〜６５°方向の衛星から受信するために、反射鏡が上向きに設置される。このため、特に降雪地帯に設置した場合には、その反射鏡及び給電部に着雪が生じ、アンテナビーム方向がずれて信号の減衰が増大し、電波を受信できない問題を有している。例えば、放送衛星受信システムでは、アンテナ装置の小形化が促進されたことに伴い、回線マージンが１〜２ｄＢ程度しかないことから、１５ｃｍ程度の積雪で５〜６ｄＢの減衰が生じ、この状態が半日〜１日継続することが多々にある。【０００３】  このような着雪による電波の減衰や受信不能な状態を未然に防止するために、従来のアンテナ装置は、反射鏡の背面に融雪ヒータを配設して、気象状況に応じて作業員により選択的に融雪ヒータを駆動して着雪を防止したり、降雪を検知する降雪センサを用いて融雪ヒータを駆動する融雪手段が講じられていた。しかしながら、融雪ヒータによって着雪した雪を融雪する場合は、融雪時間の遅れや、誤動作が起こり、信頼性の高い融雪が困難であるという問題を有していた。また、融雪ヒータを用いることから、消費電力が嵩むうえに、設備が複雑となり、非常に高価となるという問題を有している。特に、放送衛星を受信する一般家庭向けのＢＳ、ＣＳ放送受信用のパラボラアンテナにあっては、システム全体の価格高騰と消費電力の高騰は大きな問題となる。
【考案の開示】
【考案が解決しようとする課題】
【０００４】  以上述べたように、従来のアンテナ装置では、融雪手段による融雪動作の信頼性が低いうえ、消費電力が嵩むと共に、設備が高価となるという問題を有していた。【０００５】  この考案が解決しようとする課題は、上記の事情に鑑みてなされたもので、消費電力を不要にすることができ、しかも、簡易で安価な構成にすることができるアンテナ装置を提供することを目的とする。
【課題を解決するための手段】
【０００６】  そこで、本考案の請求項１に関わるパラボラアンテナ用着雪、着水防止装置は、電波を反射するパラボラ状の反射鏡が設けられ、この反射鏡の開口側がカバーにより覆われたパラボラアンテナ用着雪防止装置において、
上記カバーは、接触角が１１０度以上の撥水性を有すると共に電波透過製を有する柔軟な薄地の高密度織物からなり、上記反射鏡の開口側を覆う前面カバー部と、上記パラボラアンテナの裏面側で弾性紐によって外周縁を結束する取付部とを備え、
上記反射鏡の上方側に位置する上記カバーとの間には、変形自在な弾性体を配設し、
上記カバーの前面カバー部によって形成される仰角を上記反射鏡の仰角よりも小さくしたことを要旨としている。【０００７】  また、請求項２に関わるパラボラアンテナ用着雪、着水防止装置は、請求項１の考案において、弾性体を、ポリスチレン、ポリエチレン、ポリプロピレン、ポリウレタンを主成分とする発泡プラスチックやゴムスポンジによって形成することを要旨としている。【０００８】  さらに、請求項３に関わるパラボラアンテナ用着雪、着水防止装置は、請求項１及び２の考案において、弾性体が筒状に形成されるとともに、長手方向に切れ目が形成され、この切れ目を上記パラボラアンテナの上部の縁部に差し込むことにより取り付け、上記弾性体が上記カバーにより覆われるようにしたことを要旨としている。【０００９】  さらに、請求項４に関わるパラボラアンテナ用着雪、着水防止装置は、請求項１及び２の考案において、弾性体が、上記反射鏡の上側に配設され、上記弾性体の仰角方向の厚さが、配設位置における開口側から反射鏡までの寸法よりも厚く設定されることを要旨としている。
【考案の効果】
【００１０】  本考案によれば、接触角が１１０度以上の撥水性を有すると共に電波透過製を有する柔軟な薄地の高密度織物によって反射鏡の開口側を覆うように構成しているので、パラボラアンテナの反射鏡への降雪が、カバーによって阻止され、反射鏡への着雪を未然に防止することができる。また、降雪がカバーに着雪しようとしても、接触角が１１０度以上の撥水性を有しているので落下させることができる。雪の種類や性質によって、カバーに着雪することがあっても、大きな接触角により、自重で落下させることができる。しかも、カバーが柔軟な薄地の高密度織物によって形成されているので、僅かな風によってカバーが揺動するので、雪の落下効果をさらに促進させることができる。
さらに、反射鏡の上方側に位置するカバーとの間に変形自在な弾性体を配設しているので、カバー自体の仰角を反射鏡の仰角よりも小さくなり、着雪の落下効果をさらに促進させることが可能となる。【００１１】  また、弾性体を発泡プラスチックやゴムスポンジによって形成することにより、風によってカバーが揺動するときに、弾性体が揺動し、さらに変形した弾性体が復元しようとするときにも揺動してカバーに伝達させるので、着雪の落下を一段と促進させることが可能となる。【００１２】  さらに、弾性体を筒状に形成することにより、中空内部が縮小して変形するため、弾性変形が大きくなるので、着雪の落下効果を高めることが可能となる。その上、筒状の弾性体に長手方向に切れ目を形成し、この切れ目をパラボラアンテナの上部の縁部に差し込むことにより、簡易に取り付けることができ、製造コストを低減することが可能となる。【００１３】  また、弾性体の配設位置における開口側から反射鏡までの寸法よりも厚く設定され弾性体を反射鏡の上側に配設することにより、カバー自体の仰角を反射鏡の仰角よりも小さくすることができ、着雪の落下効果を促進させることが可能となる。
【考案を実施するための最良の形態】
【００１４】  パラボラアンテナ用着雪防止装置には、電波を反射するパラボラ状の反射鏡が設けられ、この反射鏡の開口側がカバーにより覆われている。上記カバーの素材は、接触角が１１０度以上の撥水性を有すると共に電波透過製を有する柔軟な薄地の高密度織物が用いられる。上記カバーは、上記反射鏡の開口側を覆う前面カバー部と、上記パラボラアンテナの裏面側で弾性紐によって外周縁を結束する取付部とを備えている。そして、上記反射鏡の上方側に位置する上記カバーとの間に、変形自在な弾性体を配設することにより、上記カバーの前面カバー部によって形成される仰角を上記反射鏡の仰角よりも小さくしている。
【実施例１】
【００１５】  以下、図面に基づいて本考案の実施例を詳細に説明する。図１は、本考案に関わるパラボラアンテナ用着雪防止装置の第１の実施例を示している。ＢＳやＣＳ電波の受信に用いられるパラボラ形状の反射鏡１は、支柱２を介して仰角方向（例えば３０°〜６５°）の衛星に対向するように垂直線に対して所定の角度傾斜されて上空に向けて取付けられ、その鏡面には給電部３が支持部材４を介して垂直線に対して所定の角度傾斜されて対向配置されている。この支持部材４は、その反射鏡取付端を除く中間部が反射鏡１の周縁部より所定の間隔だけ離間されており、支持部材４への積雪が防止される。【００１６】  そして、反射鏡１の開口側はカバー５により覆われている。カバー５は、接触角が１１０度以上の撥水性を有すると共に、電波透過製を有する柔軟な薄地の高密度織物を素材として形成されている。カバー５は、反射鏡１の開口側を覆う前面カバー部５ａと、パラボラアンテナの裏面側に取付部５ｂとを備えている。この取付部５ｂは、図３に示すように、カバー５の外周縁を袋状に縫製し、この中に挿通した、例えばゴム紐のような弾性紐６の両側の端部を結束することにより構成している。この取付部５ｂによって、開放孔５ｃから各々突出され弾性紐６の両端部を互いに引き寄せながら結束すると、カバー５が反射鏡１の開口側を覆うように取り付けられる。【００１７】  カバー５の素材とした薄地の高密度織物は、東レ株式会社、或いは、帝人株式会社等が販売している撥水性を有する高密度織物から選択することができる。高密度織物は、経糸および／または緯糸が捲縮糸で、単糸繊度が１デニール以下でかつ、総繊度が６０〜１２０デニールである糸条で構成されていて、薄地でありながら防水性と柔軟性を有し、織物に撥水処理を施すことにより、接触角が少なくとも１１０度以上の撥水性を有している。また、高密度織物のために、撥水性の経時的変化が少なく、長年の使用に耐える特性を有している。【００１８】  カバー５が薄地であって柔軟性を有していることは、前面カバー部５ａが微風時にも揺動することができ、そのうえ、撥水性を有していることから、付着した雪が僅かな揺動であっても容易に落下させることが可能となる。【００１９】  また、撥水性の指標として、接触角を少なくとも１１０度以上に設定したことは、パラボラ形状の反射鏡１の仰角を３０°〜６５°としたとき、垂直線に対する前面カバー部５ａの角度が少なくとも１１５°に設定されることに起因し、この角度を超えた接触角であれば付着した雪を容易に落下させることができる。【００２０】  このように構成されたカバー５と反射鏡１の間の上方側には、図１及び図２に示すように、変形自在な筒状の弾性体７が垂直方向に配設されている。この弾性体７は、仰角方向の厚さが配設位置における開口側から反射鏡１までの寸法よりも厚く設定されている。弾性体７は、風によりカバー５が揺動したときに揺動する程度に変形しながら反発するような素材特性を有することが望ましい。このような特性を有する素材としては、ポリスチレン、ポリエチレン、ポリプロピレン、ポリウレタンを主成分とする発泡プラスチックやゴムスポンジが適している。この実施例における弾性体７は、図４に示す��うに、内部に中空部７ａを有する筒状に形成されている。この筒状の弾性体７は、カバー５によって外部から加圧したときに、中空部７ａによって変形が大きくなり、後述するように着雪の落下効果を高めることが可能となる。【００２１】  この弾性体７を反射鏡１の上方側に配設すると、図１に示すように、カバー５の前面カバー部５ａのうち、上方側が隆起する。この結果、前面カバー部５ａによって形成される仰角が反射鏡１の仰角よりも小さくなる。従って、垂直線に対する前面カバー部５ａの角度がカバー５の接触角よりも小さくなるので、前面カバー部５ａに付着した雪が容易に落下するようになる。【００２２】  なお、この実施例における弾性体７は、カバー５の前面カバー部５ａのうち、上方側を隆起させるために用いることから、図２において二点鎖線で示すような略扇形に形成した弾性体７０を用いても良い。
【実施例２】
【００２３】  図５は、本考案に関わるパラボラアンテナ用着雪防止装置の第２の実施例を示している。第２の実施例においては、反射鏡１の上方側に配設する弾性体１０を筒状に形成するとともに、長手方向に切れ目１０ａを形成し、この切れ目１０ａをパラボラアンテナの上部の縁部に差し込むことにより取り付けている。なお、弾性体１０以外の部位は前述した第２の実施例と同じであり、同符号を付し、その詳細な説明は省略する。【００２４】  弾性体１０は、第２の実施例において説明した弾性体７と同様に、素材としては、ポリスチレン、ポリエチレン、ポリプロピレン、ポリウレタンを主成分とする発泡プラスチックやゴムスポンジから選択して用いられる。この弾性体１０は、内部に中空部１０ｂを有する筒状に形成されている。この筒状の弾性体１０は、カバー５によって外部から加圧したときに、中空部１０ａが変形するので、後述するように着雪の落下効果を高めることが可能となる。弾性体１０は、手方向に形成した切れ目１０ａをパラボラアンテナの上部の縁部に差し込むことにより仮固定される。その後、弾性体１０をカバー５によって覆うことにより、不動に固定される。【００２５】  このように、パラボラアンテナの上部の縁部に弾性体１０差し込み固定することにより、カバー５の前面カバー部５ａの上方側が隆起する。この結果、前面カバー部５ａによって形成される仰角が反射鏡１の仰角よりも小さくなる。従って、垂直線に対する前面カバー部５ａの角度がカバー５の接触角よりも小さくなるので、前面カバー部５ａに付着した雪を容易に落下させることな可能となる。【００２６】  弾性体１０は、長尺の筒状の上記素材を図７（Ａ）に示すような形状に切断し、パラボラアンテナの上部の縁部に切れ目１０ａ差し込みむ。このとき、両端側を矢示の方向に押圧して縁部に沿わせようとするが、弾性を有しているので両端側が多少戻ろうとする。しかし、弾性体１０をカバー５によって覆うと、弾性体１０が弾性変形可能なことから、弾性体１０は、図７（Ｂ）に示すように、カバー５によって矢示の方向に押圧され、パラボラアンテナの上部の縁部に沿うように固定される。【００２７】  上述した第１及び第２の実施例のように、接触角が１１０度以上の撥水性を有すると共に電波透過製を有する柔軟な薄地の高密度織物によって反射鏡１の開口側を覆うように構成すると、図１０に示すように、カバー５の前面カバー部５ａの着雪を容易に落下させることが可能となる。図１０は無風状態の降雪状態を示し、図１０（Ａ）に示すように、降雪によって、一部の雪８は前面カバー部５ａに付着する。一旦付着すると、図示のように、小さな雪の塊９ができる。この小さな塊９自体は、信号を減衰させることは殆どない。その後、降雪によって塊９は次第に大きくなるが、同時に自重が次第に増加する。このとき、カバー５の前面カバー部５ａは、接触角が１１０度以上の撥水性を有しているので、図１０（Ｂ）に示すように、雪８の塊９は自重によって落下する。一方、風があるときは、風によって柔軟な薄地のカバー５の前面カバー部５ａ及び弾性体７、１０が揺動し、撥水効果を促進させて、自重が小さな雪８の塊９であっても容易に落下させることが可能となる。【００２８��  しかも、反射鏡１の上方側に位置するカバー５との間に変形自在な弾性体７、１０を配設しているので、カバー５の前面カバー部５ａ自体の仰角が反射鏡１の仰角よりも小さくなり、着雪の落下効果をさらに促進させることが可能となる。【００２９】  また、パラボラアンテナ装置は、着雪の場合の他、降雨によっても減衰が生ずることが知られている。特に、豪雨の場合は、パラボラアンテナ反射面に生ずる水膜が厚くなるために信号の減衰が増大して電波を受信できない問題を有している。この場合であっても、本考案の着雪、着水防止装置が適用できる。すなわち、降雨によりカバー５の前面カバー部５ａに水滴が生ずるが、接触角が１１０度以上の撥水性を有すると共に電波透過製を有する柔軟な薄地の高密度織物によって反射鏡１の開口側を覆うように構成しているので、水滴は急速に落下する。希に前面カバー部５ａに水滴が残留することがあっても、降雨が前面カバー部５ａに落下するときの衝撃によって、柔軟な薄地のカバー５が揺動し、水滴の落下を促進させるので、残留した水滴を速やかに落下させることが可能となる。【００３０】  以上、本考案を実施例に基づき具体的に説明したが、本考案は上記実施例に限定されるものではなく、その要旨を逸脱しない範囲で種々変形可能であることは言うまでもない。前述した実施例において、反射鏡に対して対向配置されている給電部については、本考案を適用しなかったが、必要に応じて給電部にも、上記カバーと同様に、接触角が１１０度以上の撥水性を有すると共に電波透過製を有する柔軟な薄地の高密度織物によって覆うように構成しても良い。この場合、給電部の反射鏡との対向面が、３５°〜５０°の仰角となるようにカバーの前面カバー部を設置することが望ましい。
【産業上の利用可能性】
【００３１】  本考案は、パラボラアンテナに装着される着雪、着水防止装置に適用可能である。
【図面の簡単な説明】
【００３２】
【図１】本考案に関わるパラボラアンテナ用着雪、着水防止装置の第１の実施例を示す一部断面側面図である。
【図２】図１におけるパラボラアンテナ用着雪、着水防止装置の正面図である。
【図３】カバーの裏面を示す裏面図である。
【図４】弾性体の例を示す一部断面正面図である。
【図５】本考案に関わるパラボラアンテナ用着雪、着水防止装置の第２の実施例を示す一部断面側面図である。
【図６】図５におけるパラボラアンテナ用着雪、着水防止装置の正面図である。
【図７】（Ａ）（Ｂ）は、第２の実施例に使用する弾性体の例を示す正面図である。
【図８】図５におけるパラボラアンテナ用着雪、着水防止装置の斜視図である。
【図９】図５におけるパラボラアンテナ用着雪、着水防止装置に使用するカバーの裏面を示す裏面図である。
【図１０】（Ａ）（Ｂ）は、降雪状態を示す説明図である。
【符号の説明】
【００３３】１      反射鏡
３      給電部
５      カバー
５ａ    前面カバー部
６      弾性紐
７      弾性体
１０    弾性体
１０ａ  切れ目
【図１】
0003152883.tif 000003
【図２】
0003152883.tif 000004
【図３】
0003152883.tif 000005
【図４】
0003152883.tif 000006
【図５】
0003152883.tif 000007
【図６】
0003152883.tif 000008
【図７】
0003152883.tif 000009
【図８】
0003152883.tif 000010
【図９】
0003152883.tif 000011
【図１０】
0003152883.tif 000012
【手続補正書】
【提出日】平成21年5月27日(2009.5.27)
【手続補正１】
【補正対象書類名】実用新案登録請求の範囲
【補正対象項目名】全文
【補正方法】変更
【補正の内容】
【実用新案登録請求の範囲】
【請求項１】
電波を反射するパラボラ状の反射鏡が設けられ、この反射鏡の開口側がカバーにより覆われたパラボラアンテナ用着雪防止装置において、
上記カバーは、接触角が１１０度以上の撥水性を有すると共に電波透過製を有する柔軟な薄地の高密度織物からなり、上記反射鏡の開口側を覆う前面カバー部と、上記パラボラアンテナの裏面側で弾性紐によって外周縁を結束する取付部とを備え、
上記反射鏡の上方側に位置する上記カバーとの間には、変形自在な弾性体を配設し、
上記カバーの前面カバー部によって形成される仰角を上記反射鏡の仰角よりも小さくしたことを特徴とするパラボラアンテナ用着雪、着水防止装置。
【請求項２】
弾性体が、ポリスチレン、ポリエチレン、ポリプロピレン、ポリウレタンを主成分とする発泡プラスチックやゴムスポンジによって形成される請求項１に記載のパラボラアンテナ用着雪、着水防止装置。
【請求項３】
弾性体が筒状に形成されるとともに、長手方向に切れ目が形成され、この切れ目を上記パラボラアンテナの上部の縁部に差し込むことにより取り付け、上記弾性体が上記カバーにより覆われた請求項１または２に記載のパラボラアンテナ用着雪、着水防止装置。
【請求項４】
弾性体が、上記反射鏡の上側に配設され、上記弾性体の仰角方向の厚さが、配設位置における開口側から反射鏡までの寸法よりも厚く設定される請求項１または２に記載のパラボラアンテナ用着雪、着水防止装置。